(57)【特許請求の範囲】
【請求項１】
天井に取り付けられ、下面に浴室内側に臨む開口を有する箱状のフレームと、
前記フレーム内に配設され、下面には吸込口を有し、側面に排気用吐出口を有し、前記フレームの角に対向した箇所に循環用吐出口を有したスクロール状のケーシングと、
前記ケーシング内に配設される遠心ファンと、
前記遠心ファンを回転させるモーターと、
前記浴室内側に臨む開口を覆う格子を有したパネルと前記格子の周囲に筒部を有し前記パネルと複数の補強リブを介して接合する枠を有したルーバーとを備え、
前記ルーバーの周囲には四隅には切れ目のないルーバー周囲開口を設け、
前記ルーバーの裏面には前記遠心ファンに吸い込まれた空気を前記ルーバー周囲開口の四隅に導く仕切板を設けることを特徴とする換気装置。
【請求項２】
仕切板を、一端を筒部の略中央部に接合し、もう一端をルーバーの四隅付近に設けた補強リブに接合することを特徴とする請求項１に記載の換気装置。
【発明の詳細な説明】
【技術分野】
【０００１】
本発明は、浴室の天井に設けた開口に埋め込み、天井裏に配管され屋外と連通するダクトに接続し、浴室内の換気と循環とを行う換気装置に関する。
【背景技術】
【０００２】
排気用ファンにこれと一体回転するように循環用ファンを設け、化粧枠には排気用吸入口と循環用吸入口との間を仕切るように排気用通気口体を設けると共に循環用吸入口と循環用吐出口との間に循環用通気口体を設けている。そして、排気用ファンにより浴室内の空気が排出され、循環用ファンにより浴室内の空気が化粧枠内に吸入され循環用吐出口から天井板に沿って吐出する。
【先行技術文献】
【特許文献】
【０００３】
【特許文献１】特開平９−４２７３５号公報
【発明の概要】
【発明が解決しようとする課題】
【０００４】
このような従来の換気装置においては、循環用ファンにより浴室内の空気が化粧枠内に吸入された後循環用吐出口から天井板に沿って方形状の四側面から吹出されるが、隣り合う側面の間すなわち四隅に通風を邪魔する仕切りがあるので、吸入された浴室内の空気は四隅方向に流れずその方向にある天井板や浴室内の内壁に付着している水滴に浴室内の空気が当たらず蒸発が促進できずカビが発生する、という課題を有していた。
【０００５】
そこで本発明は、上記従来の課題を解決するものであり、浴室内のカビの発生を防止することができる換気装置を提供することを目的とする。
【課題を解決するための手段】
【０００６】
そして、この目的を達成するために、本発明は、天井に取り付けられ、下面に浴室内側に臨む開口を有する箱状のフレームと、前記フレーム内に配設され、下面には吸込口を有し、側面に排気用吐出口を有し、前記フレームの角に対向した箇所に循環用吐出口を有したスクロール状のケーシングと、前記ケーシング内に配設される遠心ファンと、前記遠心ファンを回転させるモーターと、前記浴室内側に臨む開口を覆う格子を有したパネルと前記格子の周囲に筒部を有し前記パネルと複数の補強リブを介して接合する枠を有したルーバーとを備え、前記ルーバーの周囲には四隅には切れ目のないルーバー周囲開口を設け、前記ルーバーの裏面には前記遠心ファンに吸い込まれた空気を前記ルーバー周囲開口の四隅に導く仕切板を設けることとしたものであり、これにより所期の目的を達成するものである。
【発明の効果】
【０００７】
本発明によれば、天井に取り付けられ、下面に浴室内側に臨む開口を有する箱状のフレームと、前記フレーム内に配設され、下面には吸込口を有し、側面に排気用吐出口を有し、前記フレームの角に対向した箇所に循環用吐出口を有したスクロール状のケーシングと、前記ケーシング内に配設される遠心ファンと、前記遠心ファンを回転させるモーターと、前記浴室内側に臨む開口を覆う格子を有したパネルと前記格子の周囲に筒部を有し前記パネルと複数の補強リブを介して接合する枠を有したルーバーとを備え、前記ルーバーの周囲には四隅には切れ目のないルーバー周囲開口を設け、前記ルーバーの裏面には前記遠心ファンに吸い込まれた空気を前記ルーバー周囲開口の四隅に導く仕切板を設ける、という構成にしたことにより、遠心ファンに吸い込まれた浴室内の空気が遠心ファンの周囲方向に吹き出されその一部が循環用吐出口から吹出されフレームの側面にあたり側面に沿ってルーバーの方向へ流れルーバーの裏面に当たって空気密度が低い周囲に向いルーバー周囲開口を介して浴室内へ流れ、四隅に流れてきた空気は仕切板に接触しながらルーバー周囲開口を介して浴室内へ流れ、浴室内の空気を浴室内全体へ行き渡らせることとなるので、浴室内のカビの発生を防止することができる、という効果を得ることができる。
【図面の簡単な説明】
【０００８】
【図１】本発明の実施の形態１の換気装置の側面断面図
【図２】同換気装置の内部構成を示す斜視図
【図３】同換気装置のルーバーを示す斜視図
【図４】同換気装置の側面図
【発明を実施するための形態】
【０００９】
本発明の請求項１記載の換気装置は、天井に取り付けられ、下面に浴室内側に臨む開口を有する箱状のフレームと、前記フレーム内に配設され、下面には吸込口を有し、側面に排気用吐出口を有し、前記フレームの角に対向した箇所に循環用吐出口を有したスクロール状のケーシングと、前記ケーシング内に配設される遠心ファンと、前記遠心ファンを回転させるモーターと、前記浴室内側に臨む開口を覆う格子を有したパネルと前記格子の周囲に筒部を有し前記パネルと複数の補強リブを介して接合する枠を有したルーバーとを備え、前記ルーバーの周囲には四隅には切れ目のないルーバー周囲開口を設け、前記ルーバーの裏面には前記遠心ファンに吸い込まれた空気を前記ルーバー周囲開口の四隅に導く仕切板を設ける、という構成を有する。これにより、遠心ファンに吸い込まれた浴室内の空気が遠心ファンの周囲方向に吹き出されその一部が循環用吐出口から吹出されフレームの側面にあたり側面に沿ってルーバーの方向へ流れルーバーの裏面に当たって空気密度が低い周囲に向いルーバー周囲開口を介して浴室内へ流れ、四隅に流れてきた空気は仕切板に接触しながらルーバー周囲開口を介して浴室内へ流れ、浴室内の空気を浴室内全体へ行き渡らせることとなるので、浴室内のカビの発生を防止することができる、という効果を奏する。
【００１０】
また、仕切板を、一端を筒部の略中央部に接合し、もう一端をルーバーの四隅付近に設けた補強リブに接合する、という構成にしてもよい。これにより、枠の外から加わる外力が補強リブで反発し循環風は障害物がない四隅のルーバー周囲開口から吐出することとなるので、パネルと枠との接合する強度を維持しつつ循環風量の低下を防止することができる、という効果を奏する。
【００１１】
以下、本発明の実施の形態について図面を参照しながら説明する。
【００１２】
（実施の形態１）
本実施の形態１の換気装置は、図１、図２に示すように、例えば一軒家あるいはマンション等の集合住宅の浴室１の天井２に設けられた開口である天井開口３に下方から取り付けられる。
【００１３】
そして、換気装置は、下面４に浴室１の内側に臨む略正方形の開口５を有する箱状のフレーム６を有する。
【００１４】
そして、フレーム６は、シロッコファン等の後で述べる遠心ファン７のファン吸込口８の周囲の略正方形の仕切枠９を有した下面に吸込口１０を設ける。
【００１５】
そして、フレーム６の側面にはスクロール状のケーシング１１の通常の吐出口である排気用吐出口１２を設ける。また、フレーム６の少なくとも１箇所以上の角１３、好ましくは４箇所の角１３にケーシング１１の対向した箇所に循環用吐出口１４を設ける。
【００１６】
そして、ケーシング１１内に上記記載の遠心ファン７と、遠心ファン７を回転させるＡＣ（交流）やＤＣ（直流）のモーター１５を配設する。
【００１７】
そして、浴室１内側に臨む開口５を覆う格子１７を有したパネル１６を設ける。
【００１８】
そして、格子１７は、例えば４枚の長方形の板を格子１７の周囲を囲むように連接させた筒部１８を設ける。
【００１９】
また、パネル１６に複数の補強リブ１９を設け、補強リブ１９を介して接合する枠２０を設ける。
【００２０】
そして、格子１７設けたパネル１６と筒部１８と補強リブ１９と枠２０でルーバー２１を構成する。
【００２１】
そして、ルーバー２１の周囲すなわちパネル１６と枠２０との間に設けた４つの面２２には四隅２３には切れ目のないルーバー周囲開口２４を設ける。
【００２２】
そして、前記ルーバー２１の裏面２５すなわち遠心ファン７側には前記遠心ファン７に吸い込まれた空気を前記ルーバー周囲開口２４の四隅２３に導く仕切板２６を設ける。
【００２３】
この構成により、遠心ファン７に吸い込まれた浴室１内の空気は、遠心ファン７の周囲方向のケーシング１１の内側に吹き出される。
【００２４】
そして、吹き出される空気一部が循環用吐出口１４からフレーム６の内側に吹出される。
【００２５】
そして、フレーム６の４つの側面２７すなわち遠心ファン７側である内側にあたって接触し、そして、側面２７に沿ってルーバー２１の方向へ流れる。
【００２６】
そして、ルーバー２１の裏面２５に当たって空気密度が低い周囲に向いルーバー周囲開口２４を介して浴室１内へ流れる。
【００２７】
そして、四隅２３に流れてきた空気は仕切板２６に接触しながらルーバー周囲開口２４を介して浴室１内へ流れる。
【００２８】
よって、浴室１内の暖かい空気を浴室１内全体へ行き渡らせることとなるので、浴室１内の水滴を暖かい空気で当てて蒸発させる。
【００２９】
あるいは、暖かい空気を吹き出す風圧によって水滴を徐々に小さくさせて蒸発させ水滴をなくすことによって、浴室１内のカビの発生を防止する。
【００３０】
また、仕切板２６を、一端２８を筒部１８の略中央部３０に接合させ、もう一端２９をルーバー２１の四隅２３付近に設けた補強リブ１９に接合させる。
【００３１】
具体的には、補強リブ１９は、筒部１８の略中央部３０から長方形の板３１を近くの四隅２３の方向へ向かって設ける。
【００３２】
そして、四隅２３の近傍に設けた補強リブ１９に接合させる。
【００３３】
よって、この構成により、枠２０の外から加わる外力（例えば、ルーバー２１を落下させたときに枠２０に加わる力）が補強リブ１９で反発し枠２０の形状を維持させる。
【００３４】
そして、循環風は障害物がない四隅２３のルーバー周囲開口２４から吐出することとなり、パネル１６と枠２０との接合する強度を維持しつつ循環風量の低下を防止することができる。
【産業上の利用可能性】
【００３５】
本発明にかかる換気装置は、浴室内のカビの発生を防止することができることを可能とするものであるので、居室に設置する熱交換換気扇等に有用である。
【符号の説明】
【００３６】
１    浴室
２    天井
３    天井開口
４    下面
５    開口
６    フレーム
７    遠心ファン
８    ファン吸込口
９    仕切枠
１０  吸込口
１１  ケーシング
１２  排気用吐出口
１３  角
１４  循環用吐出口
１５  モーター
１６  パネル
１７  格子
１８  筒部
１９  補強リブ
２０  枠
２１  ルーバー
２２  面
２３  四隅
２４  ルーバー周囲開口
２５  裏面
２６  仕切板
２７  側面
２８  一端
２９  もう一端
３０  略中央部
３１  長方形の板
【図１】
0006524411.tif 000002
【図２】
0006524411.tif 000003
【図３】
0006524411.tif 000004
【図４】
0006524411.tif 000005